(57)【要約】【課題】  予備や代替の穂先竿を収納できると共に、竿の方向性がなく、ローリング作業の容易な元竿を有する継式釣竿を提供する。【解決手段】  繊維強化樹脂製竿杆を複数本継ぎ合わせる釣竿であって、元竿１０の断面円形の先部領域１０Ａの後ろに、該先部領域に対して内径と外径とが急なテーパで拡径した断面円形の拡径部１０Ｂを有し、その後ろに所定長さに亘って、内外径が緩やかなテーパかストレートの断面円形の本体部１０Ｃが形成されており、該本体部の内面に穂先竿の挿通できる小径のパイプ部材又はリング部材２０を１個又は２個以上固定接合させており、このパイプ部材やリング部材の固定された本体部１０Ｃ内に、元竿先端部に継ぎ合わせる中竿１２が位置できるよう構成する。【選択図】        図１
2006149217.tif 000002
【特許請求の範囲】
【請求項１】
繊維強化樹脂製竿杆を複数本継ぎ合わせる釣竿であって、元竿の断面円形の先部領域の後ろに、該先部領域に対して内径と外径とが急なテーパで拡径した断面円形の拡径部を有し、その後ろに所定長さに亘って、内外径が緩やかなテーパかストレートの断面円形の本体部が形成されており、
該本体部の内面に穂先竿が挿入できる小径のパイプ部材又はリング部材を１個又は２個以上固定接合させており、このパイプ部材やリング部材の固定された本体部内に、元竿先端部に継ぎ合わせる中竿が位置できる
ことを特徴とする継式釣竿。
【発明の詳細な説明】
【技術分野】
【０００１】
本発明は、繊維強化樹脂製の振出式又は並継式の継式釣竿に関する。
【背景技術】
【０００２】
釣りにおいては、折損し易い穂先竿を予備に携行する場合がある。また、予備ではなく、釣り場の状況に応じて特性の異なる穂先竿に交換したい場合もあり、この代替穂先竿を携行する場合がある。特に最近、鮎竿で代替穂先竿を携行することが多くなっている。こうした携行に便利なように、例えば、本出願人による特許文献１，２，３には、こうした予備穂先竿や代替穂先竿を収納できる収納空間を形成した元竿が開示されている。
【特許文献１】特開平４−１８３３４５号公報
【特許文献２】特開平４−１８３３４６号公報
【特許文献３】特開平４−１８３３４７号公報
【発明の開示】
【発明が解決しようとする課題】
【０００３】
然しながら、何れも上記の元竿は断面が異形状であり、この元竿を使用した釣竿では、釣りの際に竿の方向性が生じ、使用し難い。また、製造時において、芯金にプリプレグを巻回する際に、芯金等をローリングさせつつ行うが、このプリプレグ巻回作業では、断面異形状故ローリングの作業が円滑に行えない。
従って解決しようとする課題は、予備や代替の穂先竿を収納できると共に、竿の方向性がなく、ローリング作業の容易な元竿を有する継式釣竿を提供することである。
【課題を解決するための手段】
【０００４】
請求項１に係る発明では、繊維強化樹脂製竿杆を複数本継ぎ合わせる釣竿であって、元竿の断面円形の先部領域の後ろに、該先部領域に対して内径と外径とが急なテーパで拡径した断面円形の拡径部を有し、その後ろに所定長さに亘って、内外径が緩やかなテーパかストレートの断面円形の本体部が形成されており、該本体部の内面に穂先竿が挿入できる小径のパイプ部材又はリング部材を１個又は２個以上固定接合させており、このパイプ部材やリング部材の固定された本体部内に、元竿先端部に継ぎ合わせる中竿が位置できることを特徴とする継式釣竿を提供する。急なテーパは、直径差を距離で除したテーパ率が１０／１０００〜２００／１０００の範囲である。緩やかなテーパは、テーパ率が０．１／１０００〜５／１０００の範囲である。
【発明の効果】
【０００５】
本発明の請求項１では、拡径部によってその後ろの本体部の内径を確保し、この内面に穂先竿の挿入可能なパイプ部材やリング部材を固定すると共に、中竿を収納して位置させる収納空間を確保しているため、予備等の穂先竿を収納携行可能にする他、通常通り、中竿等の収納も可能である。
【発明を実施するための最良の形態】
【０００６】
以下、本発明を添付図面を用いて詳細に説明する。図１は本発明に係る継式釣竿の元竿の半分の縦断面図、図２は図１の矢視線Ｂ−Ｂによる要部の拡大横断面図である。元竿１０の先端部継合部１０Ａには中竿１２が振出式に継ぎ合わされている。これら各竿管は、エポキシ樹脂等の合成樹脂をマトリックスとし、炭素繊維等の強化繊維で強化された繊維強化樹脂製竿管である。
【０００７】
継合部１０Ａの直後は、該継合部に比較して急なテーパ（例えば、直径差を距離で除したテーパ率が８０／１０００）の拡径部１０Ｂが設けられており、その後側部は緩やかなテーパで後方に向かって拡径する本体部１０Ｃが形成されている。この本体部の後端部であって、元竿の最後端部には尻栓ＳＳを螺着させる大径部が形成されている。この本体部１０Ｃの長さは所定長さを有しており、使用する穂先竿の長さ以上に形成されている。この元竿１０は、全長に亘ってどの位置も横断面は円形である。従って、製造時にローリング作業が容易であると共に、釣りの際に方向性が無くて扱い易い。この例では拡径部１０Ｂは継合部１０Ａの直後にあるが、例えば、継合部の直後領域は緩やかなテーパの領域であって、その直ぐ後ろに拡径部１０Ｂが存在する形態の元竿でもよい。
【０００８】
上記本体部１０Ｃの内面に、穂先竿を挿入可能な内径を有するパイプ部材２０が一体化されている。外径は図１に示すように、中竿１２を収納させることのできる収納空間を残せる大きさである。このパイプ部材は繊維強化樹脂製でもよく、また、金属等のその他の材料製でもよい。更には、その横断面形状は円形でなくてもよく、例えば、楕円形状でも良い。また、パイプ部材の内面は長手方向にストレートでもよいが、穂先竿の外面テーパ形状に沿った内面テーパ状に形成し、穂先竿のガタを少なくしてもよい。また、こうしたパイプ部材に代って、環状部材であるリング部材を２個以上、本体部１０Ｃ内面の長手方向に沿って一直線状に並べていてもよい。更には、本願の振出式継式釣竿を分解して内部の掃除を行った後に、中竿１２等を元竿１０の後端から挿入するが、この際、パイプ部材の後端に干渉する虞がある。従って、パイプ部材の後端部を、元竿の中心側部位が前側位置になる傾斜状に形成し、中竿の挿入時に接触しても、この傾斜部にガイドされて挿入が容易になるよう構成するとよい。
【０００９】
また、図３に示すように、パイプ部材等を本体部１０Ｃの内面の異なる円周位置に、２箇所以上設けてもよい。こうして、予備穂先竿や代替穂先竿をパイプ部材２０内に収納して携行でき、必要に応じて尻栓を外して取り出し、使用することができる。パイプ部材２０の長さが収納している穂先竿と殆ど同じ長さであって、その後端と尻栓ＳＳの前端面との間の隙間を小さくすれば、釣りや携行の際に、穂先竿がパイプ部材内にてガタガタと踊ることを防止できる。また、尻栓の前端面にゴム等の衝撃吸収部材を設けて穂先竿の保護を図ることもできる。
【００１０】
製造方法は、元竿１０を製造する断面円形の図示しない芯金の或る円周位置に、上記パイプ部材２０外径に対応する大きさの溝を設けておき、この溝内部を含めて芯金全面に離型剤としてのワックスを塗布する。次にこの溝にパイプ部材２０を挿入配設し、このパイプ部材が芯金表面に露出している部位に仮止めの合成樹脂接着剤（通常は、使用するプリプレグの含浸樹脂と同じ物）を塗布する。このパイプ部材付きの芯金の上にプリプレグを巻回して、定法に従って加熱加圧しつつ硬化成形させる。従って、図２の接着剤層２２は、仮止めの接着剤と、元竿１０（の本体部１０Ｃ）を成形するプリプレグに含浸しているエポキシ樹脂等の合成樹脂が硬化したものである。
【産業上の利用可能性】
【００１１】
本発明は、並継又は振出式の継式釣竿に利用できる。
【図面の簡単な説明】
【００１２】
【図１】図１は本発明に係る継式釣竿の元竿の半分の縦断面図である。
【図２】図２は図１の矢視線Ｂ−Ｂによる部分拡大横断面図である。
【図３】図３は本発明に係る継式釣竿の元竿の他の形態例を示す横断面図である。
【符号の説明】
【００１３】
１０                          元竿
１０Ｂ                        拡径部
１０Ｃ                        本体部
２０                          パイプ部材
【図１】
2006149217.tif 000003
【図２】
2006149217.tif 000004
【図３】
2006149217.tif 000005